(57)【要約】【課題】金属表面がハウジングの露出面として露呈されないリングバインダー機構を、提供すること。【解決手段】リングバインダー機構は、高分子材料で形成された細長いハウジングを備えている。ハウジングは、中央部と、該中央部のそれぞれの側縁に沿って下方に延びる側壁部と、を有する。側壁部の間には、リング支持材が、配置され、ハウジングに対して移動可能なようにハウジングに支持されている。複数のリングの各々は、第１リング部材と第２リング部材とを含む。第１リング部材は、閉位置と開位置との間を移動可能なように、リング支持材に取り付けられている。制御機構がハウジングに対し移動可能に備えられている。制御機構は、リング支持材の動きを阻止することによって、第１リング部材を閉位置に、解除可能にロックするよう、構成されている。制御機構は、ハウジングに対して並進的に移動する移動バーを備えている。移動バーは、リング支持材と係合してその移動を阻止するためのロック要素を、備えている。【選択図】図１４
2009056799.tif 000002
【特許請求の範囲】
【請求項１】
ルーズリーフ頁を保持するためのリングバインダー機構であって、
高分子材料で形成されており、中央部と、該中央部のそれぞれの側縁に沿って下方に延びる側壁部と、を有する、細長いハウジングと、
前記高分子のハウジングの前記側壁部の間に配置され、前記ハウジングに対して移動可能なように前記ハウジングに支持された、リング支持材と、
前記ルーズリーフ頁を保持するための複数のリングと、
制御機構と、を備えており、
各々の前記リングは、第１リング部材と第２リング部材とを含んでおり、
前記第１リング部材は、閉位置と開位置との間を、前記リング支持材とともに前記ハウジングに対して移動可能なように、前記リング支持材に取り付けられており、
前記閉位置において、前記第１リング部材及び第２リング部材は、前記リングによって保持された前記ルーズリーフ頁が該リングに沿って一方の前記リング部材から他方の前記リング部材へと移動させることができるよう、実質的に連続した閉じたループを形成しており、
前記開位置において、前記第１リング部材及び第２リング部材は、前記リングに前記ルーズリーフ頁を追加したり抜き取ったりできるよう、不連続で開いたループを形成しており、
前記制御機構は、前記リング支持材を移動させるため、前記ハウジングに対して移動可能であり、
前記制御機構は、前記リング部材を前記開位置へと移動させる前記リング支持材の動きを、阻止することによって、前記第１リング部材を前記閉位置に、解除可能にロックするよう、構成されており、
前記制御機構は、前記ハウジングに対して並進して移動可能な移動バーを備えており、
該移動バーは、前記リング支持材と係合して該リング支持材の移動を阻止するためのロック要素を、備えている、
ことを特徴するリングバインダー機構。
【請求項２】
前記移動バーは、高分子材料で形成されている、
請求項１に記載のリングバインダー機構。
【請求項３】
前記移動バーは、複数のロック要素を備えており、
該ロック要素は、移動バーと一体に、高分子材料からなる一部品として形成されている、
請求項２に記載のリングバインダー機構。
【請求項４】
前記移動バーは、その大部分の長さにわたって延びる細長いバーと、細長いバーの長手方向に離間しており、且つ、ハウジングにスライド当接可能に設けられた、複数のパッドと、を備えており、
該パッドは、前記細長いバーの幅より広い幅をそれぞれ有している、
請求項３に記載のリングバインダー機構。
【請求項５】
前記ロック要素は、前記細長いバーに沿って、前記パッドと同一の位置に、配置されている、
請求項４に記載のリングバインダー機構。
【請求項６】
前記移動バーは、該移動バーの長手方向の延長線と交差する軸の周りに屈曲するよう構成された、ヒンジ領域を、含んでいる、
請求項２に記載のリングバインダー機構。
【請求項７】
前記ヒンジ領域は、その対向する端部における厚さが、前記移動バーの前記ヒンジ領域に隣接する部分の厚さより薄い、
請求項６に記載のリングバインダー機構。
【請求項８】
前記ヒンジ領域は、前記移動バーの長手方向に沿って湾曲しており、前記ハウジングから遠ざかるように湾曲している、
請求項７に記載のリングバインダー機構。
【請求項９】
前記ヒンジ領域は、その中に細長い開口を含んでいる、
請求項８に記載のリングバインダー機構。
【請求項１０】
前記リング支持材は、概略並列関係に配置され且つお互いに対して枢動可能なようにヒンジ結合された、一対の金属のヒンジプレートを、備えており、
該金属のヒンジプレートの長さは、前記ハウジングの長さの半分より大きい、
請求項２に記載のリングバインダー機構。
【請求項１１】
前記ヒンジプレートには、前記第１リング部材が前記開位置にあるときに前記ロック要素を収容する開口が、形成されている、
請求項１０に記載のリングバインダー機構。
【請求項１２】
前記制御機構は、前記ハウジングの概略長手方向端部に枢動可能に取り付けられたレバーを、備えており、
前記ヒンジプレートの少なくとも一つは、該ヒンジプレートの端部からその長手方向に突出しており且つ前記レバーから前記ヒンジプレートに力を伝達するために前記レバーに収容される、指部を、含んでいる、
請求項１０に記載のリングバインダー機構。
【請求項１３】
前記レバーは、金属のヒンジピンによってハウジングに取り付けられている、
請求項１２に記載のリングバインダー機構。
【請求項１４】
前記ハウジングには、該ハウジングを他の構造体と結合するための固定具を、収容するために、該ハウジングから突出する管体が、形成されている、
請求項１に記載のリングバインダー機構。
【請求項１５】
カバーと組み合わされており、前記カバー上に取り付けられており、該カバーは、前記リングバインダー機構によって保持されたルーズリーフ頁を選択的に覆い且つ開陳するために動くことが可能なように、ヒンジ構造となっている、
請求項１に記載のリングバインダー機構。
【発明の詳細な説明】
【技術分野】
【０００１】
（関連出願の相互参照）
本願は、２００７年８月３１日に出願された米国仮出願第６０／９６９，４０３号に基づく優先権を主張するものであり、引用によりその全体がここに組み入れられるものとする。
【０００２】
本発明は、ルーズリーフ頁を保持するためのリングバインダー機構に関し、より具体的には、少なくとも一部が高分子材料より構成されたハウジング、を有するリングバインダー機構に、関する。
【背景技術】
【０００３】
リングバインダー機構は、孔が打ち抜かれたページなどのルーズリーフ頁を、ファイルやノートに保持するものである。それは、ページを保持するためのリング部材を有する。該リング部材は、選択的に、ページを追加しまたは取り去るために開くことも、ページを保持しかつページをリング部材に沿って移動させるよう閉じることもできる。リング部材は、回動軸の周りに結合された二枚の隣接するヒンジプレート上に、取り付けられている。
【０００４】
ハウジング（典型的には金属で、細長い形状を有する）は、その内部にヒンジプレートを密接することなく支持しており、また、ヒンジプレートがハウジングに対して枢動可能なようにヒンジプレートを結合して固定している。ハウジングは、略円弧形状の断面を有しており、ヒンジプレートをハウジング内に固定するための下縁部が曲げられたリムを備えている。ヒンジプレートは、円弧形状の上部の壁から離間した、開いた底部を、横切って延出しており、リング部材は、ハウジングの切欠部もしくは開口部を通って延出している。
【０００５】
変形していないハウジングは、ヒンジプレートが同一面内にあるとき（１８０度をなすとき）のヒンジプレート二枚分の幅より僅かに狭くなっている。したがって、ヒンジプレートがこの位置で枢動すると、それにより、弾力性のあるハウジングの側壁部が外側に向かって変形し、ヒンジプレートを同一面内にある状態から脱するよう付勢するバネ力が、ハウジング内に生成され、リング部材を開くよう又は閉じるよう作用する。このように、リング部材が閉じられているときは、バネ力がヒンジプレートの動作を抑止してリング部材を結合させて固定する。同様に、リング部材が開いているときは、バネ力がリングを開いたまま固定する。使用者は、典型的には手でリング部材を押し広げるか、又は閉じ合わせることによって、このバネ力を克服する。ハウジングの片側又は両側に、リング部材を開位置と閉位置との間で移行させるためのレバーを備えてもよい。
【０００６】
リング機構には、リング部材が閉じている場合にはヒンジプレートの枢動を阻止するロック機構、を備えたものが、ある。このロック機構は、閉じられたリング部材を、結合させておくよう力を加えて固定しており、リング機構を誤って落下させても不意に開いてしまわないようになっている。例えば、ロック機構は、調節スライド上に組み付けられ、該調節スライドは、それに取り付けられたロック要素がヒンジプレートの枢動を阻止するロック位置と、該ロック要素がヒンジプレートの枢動を阻止しない開放位置と、の間を、ハウジングに対して移動可能となっている。
【発明の開示】
【発明が解決しようとする課題】
【０００７】
従来、ハウジングは、ファイル又はノートに対し、その開いた底部が該ファイル又はノートに対向するように、取り付けられている。すなわち、ヒンジプレートは、ハウジングの上部プレートに覆われている。このような構造により、全体的に堅固な金属表面が、ハウジングの露出面として露呈されている。
【０００８】
この露出面には、ニッケル含有材料のめっきが施されていることが多いが、この材料に過敏な人々も存在する。加えて、金属の表面に、特に該表面がニッケルめっきされている場合に、印刷されたものが定着するように印刷を行うことは、困難及び／又は高コストである。ニッケルめっき工程は、更に、リングバインダー機構の製造において環境及び労働上の有害な問題を起こす恐れもある。
【課題を解決するための手段】
【０００９】
一態様における本発明は、ルーズリーフ頁を保持するためのリングバインダー機構を提供する。該機構は、概略的には、高分子材料で形成された細長いハウジングを備えている。該ハウジングは、中央部と、該中央部のそれぞれの側縁に沿って下方に延びる側壁部と、を有する。前記高分子のハウジングの前記側壁部の間には、リング支持材が、配置され、前記ハウジングに対して移動可能なように、前記ハウジングに支持されている。前記機構は、また、前記ルーズリーフ頁を保持するための複数のリングを備えている。各々の前記リングは、第１リング部材と第２リング部材とを含む。前記第１リング部材は、閉位置と開位置との間を前記リング支持材とともに前記ハウジングに対し移動可能なように、前記リング支持材に取り付けられている。前記閉位置において、前記第１リング部材及び第２リング部材は、前記リングによって保持された前記ルーズリーフ頁が該リングに沿って一方の前記リング部材から他方の前記リング部材へと移動させることができるよう、実質的に連続した閉じたループを形成する。前記開位置において、前記第１リング部材及び第２リング部材は、前記リングに前記ルーズリーフ頁を追加したり抜き取ったりできるよう、不連続で開いたループを形成する。前記リング支持材を移動させるため、制御機構が前記ハウジングに対して移動可能に備えられている。前記制御機構は、前記リング部材を前記開位置へと移動させる前記リング支持材の動きを、阻止することによって、前記第１リング部材を前記閉位置に、解除可能にロックするよう、構成されている。前記制御機構は、前記ハウジングに対して並進して移動可能な移動バーを、備えている。該移動バーは、前記リング支持材と係合して該リング支持材の移動を阻止するためのロック要素を、備えている。
【００１０】
その他の特徴は、以下の記述において、あるものは自明となり、あるものは指摘されるであろう。
【発明を実施するための最良の形態】
【００１１】
全ての図面において、相当する参照符号は、相当する構成要素を示す。
【００１２】
図面を参照すると、図１〜図１６は、リングバインダー機構の一つの実施形態を示し、その全体は符号１００で示される。図１において、機構１００は、全体が符号１０で示されるノートに取り付けられた状態で、表されている。具体的には、機構１００は、ノート１０の裏表紙１２に、ノート１０の背表紙１４にほぼ隣接し且つそれに並ぶように、リベット１１３により、取り付けられている。リベット１１３は、ハウジング１０２の対向する両端部に設けられた、取り付け用開口１２３を、通って延びている。ノート１０の表表紙１６は、背表紙１４に蝶番状につながっており、機構１００によってノート１０内に保持されているルーズリーフ頁（図示せず）を選択的に覆うか開陳するために、可動となっている。ノートに他の方法で（例えば背表紙上に）取り付けられた、又はノート以外の表面（例えばファイル）に取り付けられた、リングバインダー機構も、本発明の範囲を逸脱するものではない。取り付けられていない状態のリングバインダー機構も、また、本発明の範囲内に含まれる。
【００１３】
図２〜図９を参照して述べると、本実施形態の機構１００は、一対のヒンジプレート１２８（広義にはリング支持材）及び二つのリングを支持する、全体として符号１０２で示すハウジングを、備えており、二つのリングには、それぞれ符号１０４が共通して付されている。ハウジング１０２は、中央部１４８と側壁部１５０とを備えた細長い形状を有しており、側壁部１５０は、ハウジングの長さ分だけ互いに離間している長手方向の両端部１４０、１４２のほぼ間で、中央部のそれぞれの側縁に沿って、略垂直な平面をなして下方に延びている。図１に示す実施形態では、中央部は、側壁部１５０と交差する方向に下方に（例えば４５度の角度をなして）傾斜した肩部１４９を、有する。中央部１４８及び側壁部１５０の、このような構成により、ハウジングは、図１４〜図１６に示すごとく、端部１４０、１４２の間で概略凹面状の断面形状を呈している。
【００１４】
ハウジング１０２の長手方向の一方の端部１４０には、機構１００を操作するのに用いる制御機構（全体として符号１１８で示す）の一部をなす作動レバー１３０を取り付けるための取り付け部１４１が、下記のように設けられている。図示された実施形態においては、取り付け部１４１は、長手方向に延びる短いコの字型の部材であり、その対向する側壁に、金属ピン１３２を通すための、ハウジングの長手方向軸を横切る軸に沿って延びる開口１４１Ａがそれぞれ形成され、金属ピン１３２に作動レバー１３０が枢動可能に取り付けられている。本発明の範囲内で、他の取り付け方法も可能であることは、当然である。ハウジング１０２の長手方向の反対側の端部１４２は、閉じられていて丸味のある、又はなだらかな形状となっており、そのため、例えばユーザーの手や衣服などの物体がハウジングの端部に誤って引っ掛かる可能性が、低くなっている。他の形状も、たとえ開いた形状であっても、本発明の範囲から逸脱しない。リベット１１３のための取り付け用開口１２３、又はハウジング１０２をノート１０に固定する他の手段は、ハウジング１０２の両端部１４０、１４２の近傍に配置されている。図示された実施形態においては、例えば、取り付け用開口１２３は、ハウジング１０２の中央部１４８から下方に突出する管体１２２を貫通して形成されている。
【００１５】
ハウジング１０２の一方の側壁部１５０は、その下端に至るまで下方に延びて形成された複数の切欠部１４４Ａを、有する。ハウジング１０２には、切欠部１４４Ａとほぼ対向する位置（例えば、ハウジング１０２の他方の側壁部１５０と中央部１４８との交点にほぼ相当する位置）に複数の開口部１４４Ｂが形成されている。切欠部１４４Ａとは異なり、本実施形態の開口部１４４Ｂは、それが形成された側壁部１５０の下端まで延びていない。切欠部１４４Ａと開口部１４４Ｂとは、対をなすよう配置されている。リング１０４のそれぞれは、一対のリング部材１２４を含み、その一方のリング部材は、切欠部１４４Ａの一つを通って延び、他方のリング部材は、対向する開口部１４４Ｂを貫通して延びている。切欠部１４４Ａによって、収容されるべきリング部材１２４が回転することなくハウジング内に向かって上向きにスライドすることで切欠部１４４Ａに収容可能となっており、それ故、リング機構の組み立てが容易である。切欠部１４４Ａに比べ、側壁部１５０の下端まで延びていない開口部１４４Ｂを採用することは、ハウジング１０２の剛性を高めることに資する。本発明の範囲を逸脱することなく、リング１０４を収容するために切欠部と開口部との他の組み合わせをハウジングに設けることが可能であるのは、当然である（全てが各側壁部の下端まで延びている切欠部である構成や、全てが各側壁部の下端まで延びていない開口部である構成も含む）。
【００１６】
ハウジング１０２は、弾力性のある高分子材料で形成されている。図示された実施形態においては、管体１２２及び取り付け部１４１は、ハウジング１０２と一体に成型されている。ただし、これらは、別途形成してハウジングに取り付けてもよい。ＡＢＳ（アクリロニトリルブタジエンスチレン）は、疲労による劣化に対する耐性が特に高く、ここで説明するとおり、ハウジングの形成に用いた場合に多数の使用サイクルに耐え得ることが本発明者により発見されたことから、好適な高分子材料の一例である。一つの実施形態において、高分子材料は、少なくとも約５ｋＪ／ｍ２の衝撃強度を有する。ハウジング１０２は、高分子材料で形成されるので、様々な色で製作が容易であり、色別に使い分けるノートに有用である。加えて、所望の場合には、印刷テキスト（浮き彫りであれ彫り込みであれ）を成型又は他の方法で構造体に形成することができる。更に、高分子材料は、ニッケルめっきを必要とせず（リングバインダーに金属のハウジングを用いる場合は通常施されるが）、したがって、ニッケルに過敏な人々にも受け入れられる。図示された実施形態の場合では、ハウジング１０２全体が一体物として成型される。しかしながら、ハウジングは、一体でない要素を含んでもよく、また、後にハウジングを形成するため組み合わされる多数の部品から製作するなどの他の方法で形成してもよく、これらは、本発明の範囲を逸脱しない。
【００１７】
図示された実施形態において、ハウジング１０２の高さは、約８．５〜１８．５ｍｍの範囲であればよく、ハウジングの開いた底部の幅は、約１７〜４５ｍｍの範囲にあればよい。その場合、ハウジング１０２の平均肉厚（例えば側壁部１５０の厚さＴ１、肩部１４９の厚さＴ２、及び肩部の間の中央部１４８の厚さＴ３）は、それぞれ、約１．２〜約１．８ｍｍの範囲であればよい（図１６）。側壁部１５０、肩部１４９、及び肩部の間の中央部１４８の、それぞれの平均肉厚Ｔ１、Ｔ２、Ｔ３は、ほぼ同じである。本発明の一つの実施形態において、側壁部１５０の肉厚Ｔ１、肩部１４９の肉厚Ｔ２、及び肩部の間の中央部１４８の肉厚Ｔ３は、それらの全体にわたって、約１．２〜約１．８ｍｍの範囲にある。別の実施形態では、側壁部１５０の肉厚Ｔ１、肩部１４９の肉厚Ｔ２、及び肩部の間の中央部１４８の肉厚Ｔ３は、約１．２〜約１．８ｍｍの範囲にあり、それらの全体にわたって実質的に均一である。
【００１８】
変形していないハウジング１０２の側壁部１５０は、連結されたヒンジプレート１２８が中心ヒンジ１５４上を枢動して同一面内に位置した状態にあるときの、ヒンジプレート１２８の両側の外縁部１５６間の距離より、ごく僅かに短い距離だけ、互いに離間している。したがって、操作時にヒンジプレート１２８が枢動することによるハウジング１０２の変形は、著しく低減される。例えば一つの構成において、開いた底部の幅は、開く操作の際に、約０．８〜１．８ｍｍの範囲でしか増加しない。図１２に示すように、複数のヒンジプレート支持部１６０が、ハウジング１０２の側壁部１５０から内側に向かって突出している。ヒンジプレート支持部は、ハウジング１０２の側壁部１５０とともに一体に成型される。ヒンジプレート支持部１６０は、リングバインダー機構１００の作動中にヒンジプレートをハウジング１０２内に保持するべく、連結されたヒンジプレート１２８の外縁部１５６と係合可能である。図１４〜図１６について述べると、図示された実施形態におけるヒンジプレート支持部１６０は、ハウジングの側壁部１５０から内側に向かって横向きに延びる支持面１６２を形成する楔形の形状をなしている。楔形のヒンジプレート支持部１６０は、支持面１６２から、ハウジング１０２の中央部１４８から遠ざかる方向に、テーパ状となっている。支持面１６２は、ハウジングの側壁部１５０に対して殆ど直角である。一つの実施形態においては、支持面１６２は、少なくとも僅かに下方に傾斜しつつ、側壁部１５０から内側に向かって延びている。本実施形態では、支持面１６２と側壁部１５０とは９０度より大きい（例えば約１００度）角度Ａ１（図１３Ａ）をなしている。本発明の範囲内において、支持面１６２と側壁部１５０との角度が１００度より大きくてもよいことは、当然である。
【００１９】
図３、図５、図９、及び図１１に示すとおり、図示された実施形態によるヒンジプレート支持部１６０は、ハウジング１０２の側壁部１５０のそれぞれに複数形成されている。ヒンジプレート支持部１６０は、ハウジング１０２に沿って長手方向に分布している。例えば本実施形態において、ヒンジプレート支持部１６０は、ハウジングの長手方向の両端部１４０、１４２に隣接する位置に、及びリング１０４用の切欠部／開口部１４４Ａ、１４４Ｂに隣接する位置に、好適に配置されている。図示された実施形態においては、側壁部１５０上にヒンジプレート支持部１６０が重なる箇所における、リング１０４のための開口部１４４Ａ、１４４Ｂと合致する位置に、空隙１６４が形成されており、リングバインダー機構１００の組み立て時にリング部材１２４がヒンジプレート支持部の間を通過できるようになっている。更に、付加的なヒンジプレート支持部１６０が、リング１０４間のほぼ中央に配置されている。ヒンジプレート支持部の構造及び数、隣り合うヒンジプレート支持部間の距離、及び、ヒンジプレート支持部の長手方向の長さは、本発明の範囲内で変更が可能である。
【００２０】
上記の通り、本実施形態のリング支持材は、一対のヒンジプレート１２８を含み、それらは、互いにほぼ線対称の形状をなしている。ヒンジプレート１２８のそれぞれは、全体に細長く扁平で矩形状であり、図３に示すとおり、ハウジング１０２より長さがやや短い。ヒンジプレート１２８は、それぞれの長手方向の内縁部に沿って並列した状態で互いに連結されており、ヒンジプレートをお互いに対して枢動可能にするための枢軸を有する中心ヒンジ１５４が、形成されている。この構造は、当該分野で従来既知の方法で好適に達成できる。互いに連結されたヒンジプレート１２８は、ハウジング１０２の両側壁部１５０の間に、ヒンジプレートの外縁部１５６がヒンジプレート支持部１６０より上部の側面と係合するように、配置され、ヒンジプレート支持部１６０は、連結されたヒンジプレート１２８をハウジング内に保持している。後述するように、ハウジング１０２内でヒンジプレート１２８が枢動する際には、中心ヒンジ１５４のハウジングに対する上下動、及びヒンジプレートの外縁部１５６の、ハウジングの側壁部１５０に対する回動が、伴って起こる。
【００２１】
ヒンジプレート１２８は、ハウジング１０２の作動レバー１３０とは反対側の端部１４２に隣接するリベット１１３の挿入を、妨げない程度に、短くなっている。ハウジング１０２の他方の端部１４０では、ヒンジプレートに開口１２９が形成されており、それを通って、作動レバー１３０に隣接する管体１２２及びリベット１１３が、延びている。管体１２２は、ハウジング１０２を支持するため、ノート１０と係合可能となっている。所望であれば、機構１００をノート１０又は他の構造物と結合させるため、追加のリベットを使用できるよう（例えばハウジングの両端部１４０、１４２の中点付近に）、同様にして、更に開口を形成してもよい。
【００２２】
図示された実施形態におけるヒンジプレート１２８は、ハウジング１０２ほど長くはないが、その長さＬＨＰは、ハウジングの長さＬＨの半分よりは長い（図９）。ヒンジプレート１２８は、約０．６〜１．６ｍｍの厚さをもつ弾力性のある金属（例えば鋼材）を用いて、好適に製作できる。ヒンジプレート１２８は、ハウジング１０２より相当高い剛性を有する。ヒンジプレート１２８の高い剛性により、ヒンジプレートを介して力（例えば、リングを開閉するためにヒンジプレートに加えられた力）を効率よく伝達することが容易となる。
【００２３】
リング１０４は、ノート１０内で、リングバインダー機構１００に載置されたルーズリーフ頁（図示せず）を保持するものである。リングバインダー機構１００の二つのリング１０４は、実質的に同じで、各々の形状は略円形である。リング１０４は、それぞれ、好適な材料（例えば鋼材）からなる既知の円筒形の棒材から形成された、略半円形の二つのリング部材１２４を、含む。リング部材１２４は、それらが合体して閉じたときに互いに食い違うことなく結合するように形成された自由端１２６を、有する。リングは、当該分野で既知の通りＤ字型でもよく、また、本発明の範囲内で他の形状としてもよい。異なる材料で形成されたリング部材、あるいは異なる断面形状、例えば楕円形の断面を持つリング部材を有するリングバインダー機構も、本発明の範囲から逸脱するものではない。同様に、ハウジングによって支持されるリングの数は、本発明の範囲内で変更が可能である。
【００２４】
各々のリング１０４における一方のリング部材１２４は、互いに連結されたヒンジプレート１２８の一方に取り付けられており、当該リングの他方のリング部材は、反対側のヒンジプレートに取り付けられている。リング部材１２４は、それぞれ、切欠部／開口部１４４Ａ、１４４Ｂを通って延びており、自由端１２６がハウジング１０２の上部で互いに対向するように、配置されている。リング部材１２４は、ルーズリーフ頁をリングバインダー機構１００に追加したり抜き取ったりできる開位置（図４、図５）と、対応するリング部材１２４の自由端１２６が結合してその時点でリング１０４上にあるルーズリーフ頁を全てリングバインダー機構内に保持する閉位置（図１〜図３）と、の間を、移動可能である。
【００２５】
図示された実施形態において、リング部材１２４は当該分野で既知のとおりヒンジプレート１２８に強固に結合されており、ヒンジプレートが枢動するとそれに伴ってリング部材も動く。図示されたリングバインダー機構１００においては、各リング１０４のリング部材１２４が二つのヒンジプレート１２８の一つにそれぞれ取り付けられ、ヒンジプレート１２８の枢動に伴って動くようになっているが、各々のリングが一つの可動なリング部材と一つの固定されたリング部材とを有する機構（例えば、各々のリングの一方のリング部材だけがヒンジプレートに取り付けられ、他方のリング部材は例えばハウジング１０２に取り付けられた、機構）も、本発明の範囲を逸脱するものではない。
【００２６】
制御機構１１８は、ヒンジプレート１２８（リング支持材）を作動させるべく、ハウジング１０２に対して可動となっている。図示された実施形態では、制御機構１１８は、作動レバー１３０と、（例えば図１３に示すような直接枢着方式で）作動レバーに連結された移動バー１７０とを、作動レバー１３０を介してハウジング１０２内を長手方向に移動バーが並進するよう、含んでいる。本実施形態の作動レバー１３０には、チャネル１３３が形成されており、そこに、開口１４１Ａから挿入された金属ピン１３２がはめ込まれ、作動レバー１３０が、ユーザーによって図１３の円弧状の矢印で示すようにハウジングに対して枢動させられるよう、取り付け可能となっている。移動バー１７０のハンドル１８６が、作動レバーに形成されたもう一つのチャネル１３６に、はめ込まれ、作動レバー１３０の枢動によって、図１３の水平矢印で示すとおり、移動バー１７０をハウジング１０２の略長手方向に並進的に移動させる（例えば、移動バーを作動レバー側へ引き寄せる）ようになっている。
【００２７】
制御機構１１８は、リング部材１２４したがってリング１０４を、開位置に移行させるのに必要なヒンジプレート１２８の動作を阻止することによって、閉位置に、解除可能にロックするよう、構成されている。図６及び図１３に示すように、本実施形態の移動バー１７０は、その大部分の長さにわたって延びる細長いバー１７１と、該バーの上に設けられ、リングを開く方向へのヒンジプレートの枢動を阻止するためにヒンジプレート１２８と係合する、複数のロック要素１７２と、を含む。本実施形態のロック要素１７２は、傾斜した肩部１７４を含み、これは、移動バー１７０がハウジング１０２に対して図１３に示す位置にある場合にヒンジプレート１２８と係合してその枢動を阻止する、略水平な平坦部１７７に、向かって、細長いバー１７１から遠ざかるように延びている。ロック要素１７２は、また、平坦部１７７の、傾斜した肩部１７４とは反対側に、先端部１８４を有する。
【００２８】
作動レバー１３０の枢動によって移動バー１７０が移動すると、平坦部１７７は、連結されたヒンジプレート１２８に形成された開口１７６に、はまり込み、それにより、平坦部１７７は、もはや、ヒンジプレートの枢動を阻止しなくなる。作動レバー１３０の枢動によって、ヒンジプレート１２８も、また、リング１０４を開位置と閉位置との間を移行させるよう枢動する。図３、図５、図６に示すように、図示された実施形態のヒンジプレート１２８は、ヒンジプレートを連結している中心ヒンジ１５４に隣接する指部１５８を、有する。指部１５８は、ヒンジプレート１２８の端部から長手方向に突出しており、作動レバー１３０に形成された収容部１３４に収容され、その結果、作動レバーを枢動させるよう加えられた力は、ヒンジプレートの指部に加えられ、指部は、ハウジング内で上下動することとなる。本実施形態の指部１５８は、ヒンジプレート１２８の部品１５９の一部であり、これは、ヒンジプレート１２８の他の部分より（例えばスタンピング成型によって）隆起しており、それ故、指部１５８が収容部１３４と合致しやすくなっている。作動レバー１３０によってヒンジプレート１２８の指部１５８がハウジング１０２内で上下動すると、連結されたヒンジプレート１２８の外縁部１５６は、ハウジングの側壁部１５０に密接せずに収容され、その結果ヒンジプレートがハウジングに対して枢動するに至る。
【００２９】
リングを開く動作中、移動バー１７０の長手方向の移動は、ヒンジプレートが枢動を起こす前に平坦部１７７がヒンジプレートの開口１７６にはまり込むよう、ヒンジプレート１２８の枢動に先行せねばならないことは、理解されるであろう。同様に、移動バー１７０の閉位置（図１３）に戻る長手方向の移動に先立って、ヒンジプレート１２８が閉位置に復帰せねばならない。ヒンジプレート１２８及び移動バー１７０の動作の、このような順序立ては、リング１０４の開閉動作中にロストモーションが生じるよう、一つ以上のヒンジプレート１２８、作動レバー１３０、及び移動バー１７０を構成することによって、好適に達成できる。例えば、一つ以上のヒンジプレート１２８、作動レバー１３０、及び移動バー１７０は、細長いバー１７１がハウジング内で長手方向に動いているときには変形し、それにより、平坦部１７７が開口１７６にはまり込むまでヒンジプレート１２８の枢動を遅らせるよう構成することができる。
【００３０】
本実施形態の作動レバー１３０は、例えば、ヒンジ作用部１３８（図１３）を有するよう構成され、これにより、作動レバーが変形しやすくなり、そのため、リング１０４を開く動作中に、ヒンジプレート１２８の指部１５８を収容した収容部１３４が動くのに先立って、移動バー１７０のハンドル１８６を収容したチャネル１３６が動く。同様に、ヒンジ作用部１３８によってリング１０４を閉じる際に作動レバーが変形しやすくなり、その結果、移動バー１７０のハンドル１８６を収容したチャネル１３６が動くのに先立って、ヒンジプレートの指部１５８を収容した収容部１３４が動くことになる。
【００３１】
本実施形態の移動バー１７０は、また、その細長いバー１７１とハンドル１８６との間に配置されたヒンジ領域１７８を、含む。このヒンジ領域１７８によって、移動バー１７０が変形しやすくなり、それ故、リング１０４を閉じる動作中には細長いバー１７１が動くより先にハンドル１８６が動くこととなり、ロック要素１７２及びヒンジプレート１２８の、順序だった動作が、達成される。ヒンジ領域１７８は、また、細長いバー１７１と交差する軸の周りに屈曲するよう、構成されている。
【００３２】
ヒンジ領域は、本発明の範囲を逸脱せずに、様々な形態で製作できるが、図示された実施形態のヒンジ領域１７８の対向する端部における厚さは、図１３に示すとおり、移動バー１７０の厚さより薄い。更に、ヒンジ領域１７８は、移動バー１７０の長手方向に沿って湾曲しており、ハウジング１０２の中央部１４８から遠ざかるように湾曲している。加えて、図６に示すように、ヒンジ領域１７８は、ヒンジ領域の対向する端部の間の部分をなす薄い側面アーム１９２の間に、細長い開口１９０を有しており、これにより、ヒンジ領域が屈曲しやすくなっている。
【００３３】
細長いバー１７１の横幅より広い横幅をそれぞれ有する複数のパッド１７５が、細長いバーの長手方向に離間して形成され、ハウジング１０２（例えばハウジングの中央部１４８の下側）にスライド当接可能に設けられている。図示された実施形態のロック要素１７２は、細長いバー１７１に沿って、パッド１７５と同一の位置に配置されている。パッド１７５は、細長いバー１７１より幅が広いため、パッドによって移動バー１７０の歪み抵抗が増す（例えば、ロック要素１７２がヒンジプレート１２８の動作を阻止する位置にあるときにリング１０４を開こうとする力が加えられた場合）。また、パッド１７５は、ロック要素１７２がヒンジプレート１２８の枢動を阻止するときに加えられた負荷を、ハウジングの中央部１４８のより広い領域にわたって分散させることができる。
【００３４】
作動レバー１３０及び／又は移動バー１７０は、高分子材料で形成されている。例えば、作動レバー１３０及び／又は移動バーは、ハウジング１０２と同じ（又は類似の）高分子材料で形成されている。一つの実施形態では、作動レバー１３０及び移動バー１７０は、ナイロン又はＰＯＭ（ポリオキシメチレン）のいずれかで形成されている。図示された実施形態のロック要素１７２は、移動バー１７０の他の部分とともに、一体に形成されている。ロック要素１７２には、（例えば移動バー１７０の製作のため様々の成型プロセスの使用が容易となるよう）空洞部１８２を任意に形成してもよい。但し、ロック要素は、別途に製作して、移動バーに取り付けてもよく、これも、本発明の範囲に含まれる。
【００３５】
機構１００が作動していないとき、リング部材１２４及びヒンジプレート１２８は、通常、それぞれの閉位置にある（図１３）。この位置では、ロック要素１７２がヒンジプレート１２８の動きを阻止しており、それにより、リング１０４を閉位置に保持している。この位置では、ロック要素１７２がヒンジプレート１２８の動きを阻止しているので、ハウジング１０２は、リング１０４を閉位置に保持するために実質的なバネ力を発生させる必要がない。
【００３６】
図１３に関して述べると、ユーザーが作動レバー１３０を矢印の方向に枢動させたとき、移動バーのハンドル１８６を収容しているチャネル１３６の円弧状の動きにより、移動バー１７０は作動レバーに向かって引き寄せられる。ヒンジプレート１２８及び／又は作動レバー１３０は、ロック要素１７２の平坦部１７７が対応する開口１７６にはまり込めるよう変形し、それによって、ヒンジプレート（及びリング部材１２４）が、閉位置を脱して図１３の矢印の方向に枢動することが可能となる。作動レバー１３０は、ヒンジ作用部１３８が変形することにより、ロック要素１７２の初期抵抗を受けて変形し、そのため、ヒンジプレート１２８の上方への枢動は、移動バー１７０がロック要素１７２を開口１７６内に移動させるまで遅延することになる。
【００３７】
同様に、リング１０４を閉じる場合、ユーザーは、作動レバー１３０を図１３の矢印と反対の方向に枢動させてヒンジプレート１２８の指部１５８をハウジング内で下方に移動させ、それにより、ヒンジプレートは図１３の矢印と反対方向に枢動する。作動レバー１３０のこの枢動は、移動バー１７０を（図１３Ａの向きにおいて）左側へ動かそうとする力を生む。しかし、ヒンジプレート１２８が実質的にはまだ枢動していないため、この動きは初めは阻止される。移動バー１７０は、ヒンジ領域１７８が弾力的に湾曲可能なので、その長さにおいて有効に収縮するが、より重要な点として、作動レバー１３０が枢動を継続することが可能である。したがって、移動バー１７０が実質的に静止している間に、ヒンジプレート１２８は、下方に枢動することができる。ヒンジプレート１２８が、ロック要素１７２の肩部１７４を越えるに充分な距離だけ下方に移動すると、移動バーのヒンジ領域１７８の弾力性によって、移動バー及びロック要素が、図１３に示すヒンジプレートの後方のロック位置へと付勢される。先端部１８４が、開口１７６の辺縁部でヒンジプレート１２８と係合し、それにより、移動バー１７０の左方への移動が制限され、移動バーは、僅かに変形した形状で保持され、それにより、閉位置及びロック位置において、移動バーの動きは阻止される。
【００３８】
ロック要素１７２は、リング１０４を開こうとするヒンジプレート１２８の動きを阻止しているので、リング１０４を繰り返し開閉することによるハウジングの塑性変形の結果、ハウジングからヒンジプレート１２８に対して加えられるバネ力が低下しても、悪影響は少ない。また、側壁部１５０は、連結されたヒンジプレート１２８の両側の外縁部１５６間の距離にほぼ等しい距離だけ互いに離間しているので、ハウジング１０２からは殆どバネ力は加わっておらず、言い換えれば、ハウジング１０２はリング１０４が開閉する際にさほどの変形を蒙らず、それ故、高分子ハウジング１０２が塑性変形する可能性は低くなっている。更に、リングバインダー機構１００の様々な特徴を組み合わせることによって、ヒンジプレートを開位置又は閉位置に付勢する他のバネ部材を供給することが不要となり、リング機構を製作するコストを低減することができる。
【００３９】
図１７は、リングバインダー機構の第二の実施形態を表し、全体として符号２００で示す。下記の点を除き、リングバインダー機構２００は、上記のリングバインダー機構１００と実質的に同じである。違いの一つは、各リング２０４の一方のリング部材２２４ａは略半円形であるのに対し、同じペアの他方のリング部材２２４ｂは実質的に直線をなす傾斜部２２５を含み、且つハウジング２０２から側方へ、半円形のリング部材２２４ａよりも遠くへ延びていることである。更に、半円形のリング部材２２４ａとは異なり、実質的に直線をなす傾斜部２２５を有するリング部材２２４ｂは、ヒンジプレート２２８の外縁部２５６を迂回し、ヒンジプレートの下側からそれに向かって上方に延びている。当業者は、このようなリング２０４を、Ｄ字型リングとしての特徴を備えたものと、認識するであろう。
【００４０】
図１９及び図２２を参照すると、第二の実施形態による移動バー２７０は、上記の移動バー１７０と僅かに異なっている。具体的には、移動バー２７０は、ハンドル２８６に最も近いロック要素２７２に隣接して、減肉部分で形成されたヒンジ領域２７８を有する。移動バー２７０は、リング部材２２４ａ、２２４ｂを閉じたときにヒンジ領域２７８で屈曲することができ、それによって、ヒンジプレート２２８が枢動している間もロック要素２７２の動きを遅らせることができる。図２２に関して述べると、例えば、第二の実施形態２００の作動レバー２３０は、上記の作動レバー１３０（図１３）と異なる形状を有するが、第一の実施形態１００のヒンジ作用部１３８と同じ機能を遂行するべく変形するヒンジ作用部２３８を有する。作動レバー２３０は、押しボタン方式のようにレバーを押し下げることによってリング部材２２４ａ、２２４ｂを開くことができるような構造・機構を備えている。また、図２２に示すように、ハウジング２０２の端部２４０に形成された取り付け部２４１は、ハウジングの中央部２４８より上方に向かって角度が付けられ、ハウジングの終端となっている。これによって、ハウジング２０２の端部２４０に更なる余地が生じるので、作動レバー２３０がリング２０４を開くため使用されたとき、移動バー２７０のハンドル２８６とヒンジ領域２７８との間の部分が、ハウジング内で上方に枢動することが容易となる。
【００４１】
図２３〜図２５は、全体として符号３００で示される、本発明によるリングバインダー機構の第三の実施形態を表し、これは、下記の点を除いて、上記のリングバインダー機構２００と実質的に同じである。違いの一つは、ハウジング３０２及びヒンジプレート３２８が、上記の実施形態２００のそれらよりかなり短いことである。また、上記の実施形態１００、２００が３組のリングを有するのに対し、リングバインダー機構３００は２組のみのリング３０４を有する。図２５に最も良く示されるように、各リング３０４のリング部材３２４は、互いに対称形である。リング部材３２４は、いずれも、自身が固定されているヒンジプレート３２８の外縁部３５６を迂回し、ヒンジプレートの下側からそれに向かって上方に伸びている。リング部材３２４は、ハウジング３０２から側方に外向きに延び、比較的急な上方への屈曲部３１３が形成されている。リング部材３２４は、屈曲部３１３から上方に延びつつ緩やかに内側に湾曲し、比較的平坦な、リング３０４の頂部３１５を、形成している。
【００４２】
図２６〜図２８は、本発明によるリングバインダー機構の第四の実施形態を表し、全体として符号４００で示す。この実施形態４００は、下記の点を除いて、第二の実施形態２００及び第三の実施形態３００と実質的に同じである。違いの一つは、本実施形態では、ハウジング４０２及びヒンジプレート４２８が比較的長いことである。更に、機構４００は、リングをそれぞれ２つ又は３つしか持たない上記の実施形態１００、２００、３００とは異なり、４つのリング４０４を有する。リング４０４は、第一の実施形態１００に関して述べたリング部材１２４と実質的に同様な形状の、リング部材４２４で、形成されている。したがって、リング４０４は、図２８に示すとおり、略円形の外観を有する。
【００４３】
本明細書中でリングバインダー機構の構成要素を述べる場合、冠詞はその構成要素が一つ以上あることを示すべく意図されている。「備える」、「含む」、「有する」、及びそれらの変形である用語は、包括的であるべく意図されており、挙げられた構成要素以外の追加の要素があり得ることを意味する。また、「上方に」、「下方に」、及びそれらの変形である用語の使用、又は他の方向や向きを表す用語の使用は、便宜的なものであり、その部品の特定の向きを要求するものではない。
【００４４】
上記に対して本発明の範囲を逸脱することなく種々の変更が可能であるので、上記の記述に含まれ且つ添付の図面に示された、あらゆる事項は、例示的であって限定的な意味を持たないと解釈されるべく、意図されている。
【図面の簡単な説明】
【００４５】
【図１】ノートに取り付けられた、本発明によるリングバインダー機構の一実施形態の、斜視図である。
【図２】図１に示すリングバインダー機構の拡大斜視図である。
【図３】図１及び図２に示すリングバインダー機構の、機構の底部を見るのに適した位置から見た拡大斜視図である。
【図４】図１〜図３に示すリングバインダー機構の、リングが開いた状態であること以外はそれぞれ図２、図３と同様の、拡大斜視図である。
【図５】図１〜図３に示すリングバインダー機構の、リングが開いた状態であること以外はそれぞれ図２、図３と同様の、拡大斜視図である。
【図６】図１〜図５に示すリングバインダー機構の分解斜視図である。
【図６Ａ】リングバインダー機構の移動バーの側面図である。
【図７】図１〜図６に示すリングバインダー機構の側面図である。
【図８】図１〜図７に示すリングバインダー機構の上面図である。
【図９】図１〜図８に示すリングバインダー機構の下面図である。
【図１０】図１〜図９に示すリングバインダー機構のハウジングの斜視図である。
【００４６】
【図１１】図１０に示すハウジングの、底部を見るのに適した位置から見た、別の斜視図である。
【図１２】図１０及び図１１に示すハウジングの下面図である。
【図１３】図１〜図９に示すリングバインダー機構の、一部の、図８の１３−１３線を含む平面に沿った、拡大断面図である。
【図１３Ａ】図１３と同様の断面図であるが、リングバインダー機構が開位置から閉位置へと移行する状態を示す。
【図１４】図１〜図９及び図１３に示すリングバインダー機構の、図８の１４−１４線を含む平面に沿った、拡大断面図である。
【図１５】リングが開いた状態であること以外は図１４と同様の、断面図である。
【図１６】図１０〜図１２に示すハウジングの断面図である。
【図１７】本発明によるリングバインダー機構の第二の実施形態の斜視図である。
【図１８】図１７に示すリングバインダー機構の下面図である。
【図１９】図１７及び図１８に示すリングバインダー機構の移動バーの斜視図である。
【００４７】
【図２０】図１７及び図１８に示すリングバインダー機構の、図１８の２０−２０線を含む平面に沿った、断面図であり、リングが閉位置にある状態を示す。
【図２１】図１７及び図１８に示すリングバインダー機構の、図１８の２０−２０線を含む平面に沿った、断面図であり、リングが開位置にある状態を示す。
【図２２】図１７、図１８、図２０、及び図２１に示すリングバインダー機構の、一部の、図１７の２２−２２線を含む平面に沿った、拡大断面図である。
【図２３】本発明によるリングバインダー機構の第三の実施形態の斜視図である。
【図２４】図２３に示すリングバインダー機構の下面図である。
【図２５】図２３及び図２４に示すリングバインダー機構の、図２４の２５−２５線を含む平面に沿った、断面図である。
【図２６】本発明によるリングバインダー機構の第四の実施形態の斜視図である。
【図２７】図２６に示すリングバインダー機構の下面図である。
【図２８】図２６及び図２７に示すリングバインダー機構の、図２７の２８−２８線を含む平面に沿った、断面図である。
【図１】
2009056799.tif 000003
【図２】
2009056799.tif 000004
【図３】
2009056799.tif 000005
【図４】
2009056799.tif 000006
【図５】
2009056799.tif 000007
【図６】
2009056799.tif 000008
【図６Ａ】
2009056799.tif 000009
【図７】
2009056799.tif 000010
【図８】
2009056799.tif 000011
【図９】
2009056799.tif 000012
【図１０】
2009056799.tif 000013
【図１１】
2009056799.tif 000014
【図１２】
2009056799.tif 000015
【図１３】
2009056799.tif 000016
【図１３Ａ】
2009056799.tif 000017
【図１４】
2009056799.tif 000018
【図１５】
2009056799.tif 000019
【図１６】
2009056799.tif 000020
【図１７】
2009056799.tif 000021
【図１８】
2009056799.tif 000022
【図１９】
2009056799.tif 000023
【図２０】
2009056799.tif 000024
【図２１】
2009056799.tif 000025
【図２２】
2009056799.tif 000026
【図２３】
2009056799.tif 000027
【図２４】
2009056799.tif 000028
【図２５】
2009056799.tif 000029
【図２６】
2009056799.tif 000030
【図２７】
2009056799.tif 000031
【図２８】
2009056799.tif 000032
【外国語明細書】
2009056799.tif 000033
2009056799.tif 000034
2009056799.tif 000035
2009056799.tif 000036
2009056799.tif 000037
2009056799.tif 000038
2009056799.tif 000039
2009056799.tif 000040
2009056799.tif 000041
2009056799.tif 000042
2009056799.tif 000043
2009056799.tif 000044
2009056799.tif 000045
2009056799.tif 000046
2009056799.tif 000047
2009056799.tif 000048
2009056799.tif 000049
2009056799.tif 000050
2009056799.tif 000051
2009056799.tif 000052
2009056799.tif 000053
2009056799.tif 000054
2009056799.tif 000055
2009056799.tif 000056
2009056799.tif 000057
2009056799.tif 000058
2009056799.tif 000059
2009056799.tif 000060
2009056799.tif 000061
2009056799.tif 000062
2009056799.tif 000063
2009056799.tif 000064
2009056799.tif 000065
2009056799.tif 000066
2009056799.tif 000067
2009056799.tif 000068
2009056799.tif 000069
2009056799.tif 000070
2009056799.tif 000071
2009056799.tif 000072
2009056799.tif 000073
2009056799.tif 000074
2009056799.tif 000075
2009056799.tif 000076
2009056799.tif 000077
2009056799.tif 000078
2009056799.tif 000079
2009056799.tif 000080
2009056799.tif 000081
2009056799.tif 000082
2009056799.tif 000083
2009056799.tif 000084
2009056799.tif 000085
2009056799.tif 000086
2009056799.tif 000087
2009056799.tif 000088
2009056799.tif 000089